(57)【要約】【課題】  居室内に区画形成する居住空間における居住者の居心地を向上することができる間仕切り装置を提供する。【解決手段】  間仕切り装置は、居室内において隣合う２つのベッドの間を区画する本体スクリーン１１と、この本体スクリーン１１の一端側に対し、本体スクリーン１１と直交するように配置される正面スクリーン１２とによって構成される。正面スクリーン１２は、下側支持部材３４及び上側支持部材３５により、本体スクリーン１１に対する位置関係が変更可能な状態で本体スクリーン１１に連結されている。【選択図】      図１
2005201013.tif 000002
【特許請求の範囲】
【請求項１】
隣接するベッド間に配置される第１スクリーンと、
この第１スクリーンの長手方向における一端側に対し、第１スクリーンと直交するように配置される第２スクリーンと、
第１スクリーンと第２スクリーンとを連結するための連結手段と
を備えることを特徴とする間仕切り装置。
【請求項２】
前記連結手段は、前記第１スクリーンと第２スクリーンとの位置関係を変更可能な状態で連結することを特徴とする請求項１に記載の間仕切り装置。
【請求項３】
前記連結手段は、
前記第２スクリーンを、前記第１スクリーンに対する直交方向に移動可能な状態で支持する支持手段と、
手動操作により、前記第２スクリーンを第１スクリーンに対する任意の位置関係に固定又は固定解除する固定手段と
からなることを特徴とする請求項２に記載の間仕切り装置。
【発明の詳細な説明】
【技術分野】
【０００１】
本発明は、例えば、福祉施設等の複数の居住者が居住する居室内において、各居住者のベッドの間に配設される間仕切り装置に関するものである。
【背景技術】
【０００２】
従来、この種の間仕切り装置には、特許文献１の間仕切りユニットがある。これは、収納家具と、この収納家具に支持される間仕切りパネルとを備え、間仕切りパネルは、収納家具の正面側に引き出し可能となっているものである。これにより、間仕切りパネルを収納家具の正面側に引き出すことで、必要なときにのみ収納家具側に独立した居室小空間が作られる。
【０００３】
また、前記以外に特許文献２の間仕切り装置がある。これは、腰板部と、腰板部の上側に配置される仕切本体とからなるスクリーンが、このスクリーンの一端側底部に水平状態で固定された薄板状の転倒防止板と、スクリーンの他端側面に垂直状態で固定された補助パネルとによって支持されたものである。これにより、間仕切り装置の移動を容易に行うことができ、居室床レイアウトの変更を容易に行うことができる。
【特許文献１】特開平１１−２１６０３２号公報
【特許文献２】特開２００２−３８６３８号公報
【発明の開示】
【発明が解決しようとする課題】
【０００４】
ところで、例えば老人養護施設等においては、１つの居室に４人を居住させることが多い。この場合、４つのベッドは、居室の入口に対して、左右両側に二組ずつ配置されるのが一般的である。そして、各組のベッドは、入口の左側又は右側の壁を頭側にして配置される。すなわち、左右の各組のベッド同士は互いに足先を向き合わせた状態で配置され、左右各組のベッドの間は、居室の奥への通路とされる。
【０００５】
左右各組の隣接するベッド間には、１つのスクリーン状の間仕切りが設置される。さらに、各ベッドの足先には、通路側と区画するためのカーテンが設置されている。これにより、居室には、４つのベッド毎に、他人の視線が遮られた個室的な居住空間が形成されている。
【０００６】
しかしながら、各ベッドの足先側をカーテンで仕切ったのでは、誰かが不用意にカーテンを開けてしまう虞があり、居住者のプライバシー確保の点で、居住空間の居心地が十分でなかった。
【０００７】
本発明の目的は、居室内に区画形成する居住空間における居住者の居心地を向上することができる間仕切り装置を提供することにある。
【課題を解決するための手段】
【０００８】
上記目的を達成するため、請求項１に記載の発明は、隣接するベッド間に配置される第１スクリーンと、この第１スクリーンの長手方向における一端側に対し、第１スクリーンと直交するように配置される第２スクリーンと、第１スクリーンと第２スクリーンとを連結するための連結手段とを備えることを特徴とする。
【０００９】
従って、請求項１に記載の発明によれば、隣接するベッド間に配置される第１スクリーンと、この第１スクリーンの一端側において第１スクリーンと直交する位置関係に配置される第２スクリーンとによって、各ベッドの四方が居室の壁又はスクリーンで囲まれた２つの居住空間が居室内に区画形成される。
【００１０】
請求項２に記載の発明は、請求項１に記載の発明において、前記連結手段は、前記第１スクリーンと第２スクリーンとの位置関係を変更可能な状態で連結することを特徴とする。
【００１１】
従って、請求項２に記載の発明によれば、第１スクリーンと第２スクリーンとの位置関係を変更することができるので、第１スクリーンの両側に形成する居住空間の大きさを異ならせたり、居住空間への出入り口の大きさを変更したりすることができる。
【００１２】
請求項３に記載の発明は、請求項２に記載の発明において、前記連結手段は、前記第２スクリーンを、前記第１スクリーンに対する直交方向に移動可能な状態で支持する支持手段と、手動操作により、前記第２スクリーンを第１スクリーンに対する任意の位置関係に固定又は固定解除する固定手段とからなることを特徴とする。
【００１３】
従って、請求項３に記載の発明によれば、第１スクリーンに対する第２スクリーンの位置関係を容易に変更することができるので、例えば、居住空間への出入り時に第２スクリーンを出入りの支障とならない位置まで一時的に移動させたり、着替え時に第２スクリーンを締めて居住空間を一時的に完全に閉じたりすることができる。
【発明の効果】
【００１４】
請求項１〜請求項３に記載の発明によれば、第１スクリーンと、この第１スクリーンの一端側において第１スクリーンと直交する位置関係に配置される第２スクリーンとによって、各ベッドの四方が居室の壁又はスクリーンで囲まれた２つの居住空間が居室内に区画形成される。このため、居室内に区画形成する居住空間における居住者の居心地を向上することができる間仕切り装置を提供することができる。
【発明を実施するための最良の形態】
【００１５】
（第１実施形態）
次に、本発明を具体化した第１実施形態を図１〜図６、図１２及び図１３に従って説明する。
【００１６】
図１は、本実施形態の間仕切り装置１０をその内側から見た斜視図であり、図２は、同じくその外側から見た斜視図である。間仕切り装置１０は、図１２に示すように、例えば老人養護施設等の居室ＬＲ内に並べられた２つのベッドＢＤの間仕切りとして用いられる。間仕切り装置１０は、２つのベッドＢＤ間に配置される本体スクリーン１１（第１スクリーン）と、この本体スクリーン１１に対して直交するように配置された正面スクリーン１２（第２スクリーン）とが連結されたものである。
【００１７】
図１，２に示すように、本体スクリーン１１は、木製の上縁１３、下縁１４及び左右立縁１５からなる枠体１６を備え、この枠体１６の内側には、１つの敷居１７が組み込まれている。枠体１６の内側における敷居１７の下側は、３つの縦桟１８によって４つの枠部に区分され、この各枠部内には木製の腰板１９がそれぞれ嵌め込まれている。また、枠体１６の内側における敷居１７の上側には、引き違い障子２０が組み付けられている。
【００１８】
正面スクリーン１２は、一対のスクリーン２１を左右に並べて連結したものである。各スクリーン２１は、木製の上縁２２、下縁２３及び左右立縁２４からなる枠体２５を備え、この枠体２５の内側には、１つの横桟２６が組み込まれている。枠体２５の内側における横桟２６の下側は、１つの縦桟２７によって２つの枠部に区分され、この各枠部内には木製の腰板２８がそれぞれ嵌め込まれている。また、枠体２５の内側における横桟の上側には、障子２９が嵌め込まれている。
【００１９】
間仕切り装置１０は、本体スクリーン１１における正面スクリーン１２とは反対側の一端に固定された補助パネル３０と、本体スクリーン１１の他端下側に固定された転倒防止板３１と、正面スクリーン１２における左右両端の下側にそれぞれ固定されたキャスター３２とによって支持されている。
【００２０】
前記補助パネル３０は略長方形状の木材からなっており、本体スクリーン１１の左右両面側に同じだけ張り出すように本体スクリーン１１の一端側の立縁１５に固定され、その下端が床面上に当接されている。転倒防止板３１は、図３に示すように、床面上に載置される半円状の金属板からなっており、本体スクリーン１１における正面スクリーン１２側の立縁１５の下端部に対し、金属板上に溶接された脚部３３によって固定されている。キャスター３２は、図４に示すように、正面スクリーン１２における左右外側の立縁２４の下端にそれぞれ固定されている。
【００２１】
また、図１，２に示すように、本体スクリーン１１と正面スクリーン１２とは、下側支持部材３４及び上側支持部材３５によって連結されている。図５（ｂ）に示すように、本体スクリーン１１には、正面スクリーン１２側の立縁１５に沿って支柱３６が固定されている。図５（ａ），（ｂ）に示すように、下側支持部材３４は、支柱３６の下端部前面に固定され、正面スクリーン１２の下側において正面スクリーン１２の長手方向に延びる受け部材３７を備えている。受け部材３７には、一対のＶ型戸車３８が上向きに支持固定されている。
【００２２】
一方、正面スクリーン１２における下縁の下面には、正面スクリーン１２の長手方向に延びるＶ型レール３９が埋め込まれている。そして、受け部材３７により、一対のＶ型戸車３８がはまったＶ型レール３９を介して正面スクリーン１２が支持されている。また、受け部材３７の前面には、正面スクリーン１２のＶ型レール３９がＶ型戸車３８から外れないように、正面スクリーン１２の下端部前面に対面するカバー部材４０が固定されている。なお、カバー部材４０は鉄板からなる。
【００２３】
前記上側支持部材３５は、図６（ａ），（ｂ），（ｃ）に示すように、略Ｔ字状に形成され、その縦棒部分が、本体スクリーン１１における上縁１３の正面スクリーン１２側の端部と支柱３６の上端とに固定されるとともに、その横棒部分が、正面スクリーン１２の上縁２２に沿うように配置されている。なお、上側支持部材３５は木製である。上側支持部材３５には、正面スクリーン１２の左右上縁２２に沿って延びる溝４１が設けられている。溝４１には、左右スクリーン２１の上縁２２上を連結するように固定されたレール４２が嵌め込まれている。また、上側支持部材３５には、ノブ４３が固定された一対のボルト４４が取着されている。各ボルト４４は、ノブ４３が手回しされることにより、溝４１内においてレール４２の上面に当接又は離間する。
【００２４】
そして、正面スクリーン１２は、下側支持部材３４によってその下側から支持されるとともに、上側支持部材３５によってその上側から支持される。また、正面スクリーン１２は、上側支持部材３５に設けられたボルト４４がノブ４３で手回しされることにより、下側支持部材３４と上側支持部材３５との間で、本体スクリーン１１に対する任意の位置関係に固定又は固定解除される。本実施形態では、キャスター３２、上側支持部材３５、受け部材３７、Ｖ型戸車３８、Ｖ型レール３９及びレール４２によって支持手段が構成され、また、上側支持部材３５、ノブ４３及びボルト４４によって固定手段が構成されている。そして、これら支持手段及び固定手段によって連結手段が構成されている。
【００２５】
さて、本実施形態の間仕切り装置１０は、図１２に示すように、例えば老人養護施設の居室ＬＲにおいて、本体スクリーン１１が、隣接する２つのベッドＢＤ間に配置され、正面スクリーン１２が、両ベッドＢＤの足先側に配置された状態で使用される。そして、正面スクリーン１２は、隣接するベッドＢＤ間を区画し、正面スクリーン１２は、各ベッドＢＤの足先側を区画する。これにより、居室内には、ベッドＢＤ毎に、四方が居室の壁、又は、スクリーン１１，１２によって囲まれた２つの居住空間が区画形成される。このため、ベッド毎に、プライバシーがより高度に確保された居心地の良い居住空間が確保される。
【００２６】
また、本実施形態の間仕切り装置１０によれば、隣合うベッドＢＤを使用する２人の居住者についてその持ち物の量に差がある場合には、図１３の左側に示すように、正面スクリーン１２の位置を変えないままで、本体スクリーン１１の位置を、持ち物が少ない方の居住者側に移動させることができる。実際には、まず、本体スクリーン１１に対する正面スクリーン１２の位置を、持ち物が多い方の居住者側に移動させた後、間仕切り装置全体を、持ち物が少ない方の居住者側に移動させる。これにより、隣接するベッドＢＤの各居住者の居住空間からの出入りに支障を来すことなく、各居住者の居住空間を適切に配分することができる。
【００２７】
さらに、本実施形態の間仕切り装置１０によれば、新たに居住するとき、あるいは、居住を止めるときに、図１３の右側に示すように、正面スクリーン１２を、そのベッドＢＤと反対側のベッドＢＤ側に一時的に移動させることができる。これにより、新たに使用する居住空間、あるいは、使用を止める居住空間におけるベッドＢＤの足先側が開放されるので、持ち物の搬入又は搬出や、居住者の出入りを容易に行うことができる。また、着替え時には、正面スクリーン１２を自分の側に移動させて、その居住空間を一時的に完全に閉じてしまうこともできる。これにより、周囲から完全に閉じられた居住空間内で、気兼ねなく着替えすることができる。
【００２８】
（第２実施形態）
次に、本発明を具体化した第２実施形態を図７〜図１１に従って説明する。なお、第１実施形態と同じ構成については、符号を同じにしてその説明を省略し、第１実施形態と異なる構成のみについて詳述する。
【００２９】
図７は、本実施形態の間仕切り装置５０を内側から見た斜視図であり、図８は、同じく外側から見た斜視図である。本実施形態の間仕切り装置５０は、前記第１実施形態の転倒防止板３１に代わる中央転倒防止板５１と、キャスター３２に代わる側部転倒防止板５２とを備えている。そして、間仕切り装置５０は、前記補助パネル３０と、正面スクリーン１２の中央下側に固定された中央転倒防止板５１と、正面スクリーン１２における左右両端の下側に固定された側部転倒防止板５２とによって支持されている。
【００３０】
中央転倒防止板５１は、図９に示すように、床面上に載置される半円状の金属板からなっており、正面スクリーン１２の中央における両立縁２４下端部に対し、金属板上に溶接された板状の脚部５３によって固定されている。脚部５３は、正面スクリーン１２の中央における両立縁２４に対しその前面からボルト止めされている。なお、正面スクリーン１２における左右の両スクリーン２１は、その左右上縁２２同士がＬ字状の連結金具５８（図７，８，１１に図示）によって連結され、左右立縁２４同士が脚部５３によって連結されている。
【００３１】
側部転倒防止板５２は、図１０に示すように、床面上に載置される半円状の金属板からなっており、正面スクリーン１２の左右端部における立縁２４下端部に対し、金属板上に溶接された「コ」字断面の脚部５４によって固定されている。脚部５４は、正面スクリーン１２の外側の立縁２４下部に対し、被さった状態でボルト止めされている。なお、側部転倒防止板５２に代えて、キャスター３２を設けた構成とすることもできる。
【００３２】
図８に示すように、本体スクリーン１１と正面スクリーン１２とは、本体スクリーン１１の両側に３つずつ配置された全部で６つのＬ字状の固定金具５５によって連結されている。なお、図８には、一方の側の３つと、他方の側の１つのみを図示している。
【００３３】
図１１（ａ）に示すように、固定金具５５の１つは、本体スクリーン１１における正面スクリーン１２側の上縁１３の端部と、支柱３６の上端部とにボルト固定される。この固定金具５５の他片は、正面スクリーン１２の上縁２２に埋設された複数の埋め込みナット５６（鬼目ナット）のいずれかに螺合されたコネクタボルト５７により、正面スクリーン１２の上縁に固定される。また、図１１（ｂ）に示すように、固定金具５５の他の１つは、その一片が、本体スクリーン１１における正面スクリーン１２側の立縁１５の中央部と、支柱３６の中央部とにボルト固定される。この固定金具５５の他片は、正面スクリーン１２の横桟２６に埋設された複数の埋め込みナット５６のいずれかに螺合されたコネクタボルト５７により、正面スクリーン１２の横桟２６に固定される。さらに、図１１（ｃ）に示すように、固定金具５５の残りの１つは、その一片が、本体スクリーン１１における正面スクリーン１２側の立縁１５の下端部と、支柱３６の下端部とにボルト固定される。この固定金具５５の他片は、正面スクリーン１２の下縁２３に埋設された複数の埋め込みナット５６のいずれかに螺合されたコネクタボルト５７により、正面スクリーン１２の下縁２３に固定される。本実施形態では、固定金具５５、埋め込みナット５６及びコネクタボルト５７によって連結手段が構成されている。
【００３４】
以上のように構成された本実施形態によっても、前記第１実施形態と同じ作用・効果が得られる。また、本実施形態によれば、各固定金具５５のコネクタボルト５７を外した状態で、正面スクリーン１２を移動させず、本体スクリーン１１を移動させることもできる。これにより、図１３の左側に示すように、正面スクリーン１２の位置を変えないままで本体スクリーン１１の位置を変えることが容易となる。
【００３５】
なお、本明細書でいう「ベッド」とは、脚のついた台の上にふとんやマットを置いた洋式の寝台のみならず、床や畳の上に置いて使用するふとん、マットレス等を含む。
【図面の簡単な説明】
【００３６】
【図１】第１実施形態の間仕切り装置を示す内側からの斜視図。
【図２】同じく外側からの斜視図。
【図３】転倒防止板を示す斜視図。
【図４】キャスターを示す斜視図。
【図５】（ａ）は下側支持部材を示す正面図、（ｂ）は同じく側面図。
【図６】（ａ）は上側支持部材を示す平面図、（ｂ）は同じく正面側から見た縦断面図、（ｃ）は同じく側方から見た縦断面図。
【図７】第２実施形態の間仕切り装置を示す外側からの斜視図。
【図８】同じく内側からの斜視図。
【図９】中央転倒防止板を示す斜視図。
【図１０】側部転倒防止板を示す斜視図。
【図１１】（ａ）は上段の固定金具を示す斜視図、（ｂ）は中段の固定金具５５を示す斜視図、（ｃ）は下段の固定金具を示す斜視図。
【図１２】間仕切り装置が設置された居室を示す平面図。
【図１３】同じく居室を示す平面図。
【符号の説明】
【００３７】
１０…間仕切り装置、１１…第１スクリーンとしての本体スクリーン、１２…第２スクリーンとしての正面スクリーン、３２…連結手段、支持手段を構成するキャスター、３４…連結手段を構成する下側支持部材、３５…連結手段、支持手段、固定手段を構成する上側支持部材、３７…連結手段、支持手段を構成する受け部材、３８…連結手段、支持手段を構成するＶ型戸車、３９…連結手段、支持手段を構成するＶ型レール、４２…連結手段、支持手段を構成するレール、４３…連結手段、固定手段を構成するノブ、４４…同じくボルト、５０…間仕切り装置、５５…連結手段を構成する固定金具、５６…同じく埋め込みナット、５７…同じくコネクタボルト、ＢＤ…ベッド。
【図１】
2005201013.tif 000003
【図２】
2005201013.tif 000004
【図３】
2005201013.tif 000005
【図４】
2005201013.tif 000006
【図５】
2005201013.tif 000007
【図６】
2005201013.tif 000008
【図７】
2005201013.tif 000009
【図８】
2005201013.tif 000010
【図９】
2005201013.tif 000011
【図１０】
2005201013.tif 000012
【図１１】
2005201013.tif 000013
【図１２】
2005201013.tif 000014
【図１３】
2005201013.tif 000015